(57)【要約】      （修正有）【課題】電磁装置と空気室組の作動距離を調整可能な空気ポンプの提供。【解決手段】電磁装置３と空気室組４の作動距離を調整可能な空気ポンプは上蓋１、底台２、電磁装置、空気室組、調整組５を含む。調整組のダイヤル５４を利用し、ボルト５１を連動し係合ブロック５２の上下移動を駆動し、これにより係合ブロックの両側に設置する凸柱５２２は接合台５３を動かしその導槽５３２を移動させる。こうして電磁装置を駆動し、前後移動の調整を行い、これにより空気室組のクランプ４１の作動頻度を改変し、それが送出する空気量の調整を達成する。【選択図】図２
0003136484.tif 000002
【実用新案登録請求の範囲】
【請求項１】
電磁装置と空気室組の作動距離を調整可能な空気ポンプは上蓋、底台、電磁装置、空気室組、調整組を含み、
該上蓋の蓋体上には貫通孔を設置し、その内部には収容空間を設置し、
該底台は該上蓋と対応、係合し、
該電磁装置は通電後に磁性を生じる装置で、
該空気室組は空気室台体上に少なくとも１個のクランプを設置し、該クランプの一端には磁石を設置し、反対端は固定端で軸台に固定し、該クランプの中央部にはゴムカバーを連結し、該ゴムカバーは該空気室台体の外側縁に嵌設し、
該調整組はボルト、係合ブロック、接合台、ダイヤルにより組成し、該ボルトの上部は該ダイヤルの軸孔に係合結合し、その中央部には外ネジ刻みを具え、該係合ブロックの内ネジ孔と螺合し、該係合ブロックの両側にはそれぞれ凸柱を設置し、該凸柱は該接合台の２個のサポートアームの導槽内に設置し、別に該接合台の前側は該電磁装置の側辺と連結することを特徴とする電磁装置と空気室組の作動距離を調整可能な空気ポンプ。
【請求項２】
請求項１記載の電磁装置と空気室組の作動距離を調整可能な空気ポンプにおいて、前記底台には第一収容設置室を設置し、該空気室組を収容設置することを特徴とする電磁装置と空気室組の作動距離を調整可能な空気ポンプ。
【請求項３】
請求項１記載の電磁装置と空気室組の作動距離を調整可能な空気ポンプにおいて、前記底台には第二収容設置室を設置し、該電磁装置を収容設置することを特徴とする電磁装置と空気室組の作動距離を調整可能な空気ポンプ。
【請求項４】
請求項１記載の電磁装置と空気室組の作動距離を調整可能な空気ポンプにおいて、前記底台には第三収容設置室を設置し、該調整組を収容設置することを特徴とする電磁装置と空気室組の作動距離を調整可能な空気ポンプ。
【請求項５】
請求項１記載の電磁装置と空気室組の作動距離を調整可能な空気ポンプにおいて、前記電磁装置の側辺には定位孔を設置し、固定栓を穿入し、これにより該接合台と連結することを特徴とする電磁装置と空気室組の作動距離を調整可能な空気ポンプ。
【考案の詳細な説明】
【技術分野】
【０００１】
本考案は電磁装置と空気室組の作動距離を調整可能な空気ポンプに関する。特に飼育用水槽専用の空気ポンプで、本考案によりそれが送出する空気量の調整を達成することができる電磁装置と空気室組の作動距離を調整可能な空気ポンプに係る。
【背景技術】
【０００２】
図１に示すように、公知の飼育用水槽専用の空気ポンプ９は電磁装置９１の通電と電源切断の間歇操作を利用する。これにより、空気質組９２のクランプ９２１上の磁石９２２を吸着し、さらにゴムカバー９２３の圧縮と弛緩の交替作動を連動し、この種の吸着と放出の交替作動を通して、空気を出気管９３から送出するが、これが一般の飼育用水槽専用の空気ポンプの作動構造である。
しかし、公知構造は空気を飼育用水槽に提供することはできるが、空気の供給量が一定値であるため、容量が異なる各飼育用水槽に適用し必要な空気量を提供することができない。
【考案の開示】
【考案が解決しようとする課題】
【０００３】
本考案は上蓋、底台、電磁装置、空気室組、調整組を含み、該調整組のダイヤルを利用し、ボルトを連動し係合ブロックの上下移動を駆動し、これにより該係合ブロックの両側に設置する凸柱は接合台を動かしその導槽を移動させ、こうして該電磁装置を駆動し前後移動の調整を行い、これにより該空気室組のクランプの作動頻度を改変し、それが送出する空気量の調整を達成する電磁装置と空気室組の作動距離を調整可能な空気ポンプを提供する。
【課題を解決するための手段】
【０００４】
請求項１の考案は、電磁装置と空気室組の作動距離を調整可能な空気ポンプは上蓋、底台、電磁装置、空気室組、調整組を含み、
該上蓋の蓋体上には貫通孔を設置し、その内部には収容空間を設置し、
該底台は該上蓋と対応し係合し、
該電磁装置は通電後に磁性を生じる装置で、
該空気室組は空気室台体上に少なくとも１個のクランプを設置し、該クランプの一端には磁石を設置し、反対端は固定端で軸台に固定し、該クランプの中央部にはゴムカバーを連結し、該ゴムカバーは該空気室台体の外側縁に嵌設し、
該調整組はボルト、係合ブロック、接合台、ダイヤルにより組成し、該ボルトの上部は該ダイヤルの軸孔に係合結合し、その中央部には外ネジ刻みを具え、該係合ブロックの内ネジ孔と螺合し、該係合ブロックの両側にはそれぞれ凸柱を設置し、該凸柱は該接合台の２個のサポートアームの導槽内に設置し、別に該接合台の前側は該電磁装置の側辺と連結することを特徴とする電磁装置と空気室組の作動距離を調整可能な空気ポンプとしている。
請求項２の考案は、請求項１記載の電磁装置と空気室組の作動距離を調整可能な空気ポンプにおいて、前記底台には第一収容設置室を設置し、該空気室組を収容設置することを特徴とする電磁装置と空気室組の作動距離を調整可能な空気ポンプとしている。
請求項３の考案は、請求項１記載の電磁装置と空気室組の作動距離を調整可能な空気ポンプにおいて、前記底台には第二収容設置室を設置し、該電磁装置を収容設置することを特徴とする電磁装置と空気室組の作動距離を調整可能な空気ポンプとしている。
請求項４の考案は、請求項１記載の電磁装置と空気室組の作動距離を調整可能な空気ポンプにおいて、前記底台には第三収容設置室を設置し、該調整組を収容設置することを特徴とする電磁装置と空気室組の作動距離を調整可能な空気ポンプとしている。
請求項５の考案は、請求項１記載の電磁装置と空気室組の作動距離を調整可能な空気ポンプにおいて、前記電磁装置の側辺には定位孔を設置し、固定栓を穿入し、これにより該接合台と連結することを特徴とする電磁装置と空気室組の作動距離を調整可能な空気ポンプとしている。
【考案の効果】
【０００５】
本考案は空気ポンプの空気送出量を調整することができ、これにより公知構造の欠点を解決し、実用的な進歩性と利益を具える。
【考案を実施するための最良の形態】
【０００６】
図２、３、４に示すように、本考案は少なくとも上蓋１、底台２、電磁装置３、空気室組４、調整組５を含む。
該上蓋１の蓋体１０上には貫通孔１１を設置し、その内部には複数の固定柱１３を設置し、封鎖形内壁１２を囲み形成し、該封鎖形内壁１２内には収容空間１４を形成する。
該底台２の台体２０内には封鎖形内壁２１を囲み形成し、該封鎖形内壁２１は該上蓋１の封鎖形内壁１２と対応し係合する。該封鎖形内壁２１内には第一収容設置室２２、１個以上の貫通孔２２１、第二収容設置室２３を設置し、該第二収容設置室２３に隣接する外側には第三収容設置室２４を設置する。しかも該第三収容設置室２４内には貫通孔２４１を具え、該封鎖形内壁２１の周囲外側には複数の固定係合柱２５を設置する。該固定係合柱２５は該上蓋１の固定柱１３と対応し係合する。該底台２台体２０の底部には空気室２６を設置し（図５参照）、底板２７により蓋合する。
該電磁装置３は通電後に磁性を生じる装置で、それは該第二収容設置室２３内に装置する。該電磁装置３の側辺３１上には定位孔３２を設置する。
【０００７】
該空気室組４は空気室台体４０上に少なくとも１個のクランプ４１を設置し、該クランプ４１の一端には磁石４１１を設置する。反対端は固定端４１２で、軸台４１３に固定する。該クランプ４１の中央部にはゴムカバー４１４を連結し、該ゴムカバー４１４は該空気室台体４０の外側縁に嵌設する。しかも該空気室組４は該第一収容設置室２２内に装置する。
該調整組５は該第三収容設置室２４内に装置し、それはボルト５１、係合ブロック５２、接合台５３、ダイヤル５４により組成する。該ボルト５１の上部５１１は該ダイヤル５４の軸孔５４１に係合結合し、中央部５１２は外ネジ刻みを具え、該係合ブロック５２の内ネジ孔５２１と螺合する。しかもその下部５１３は該底台２の第三収容設置室２４の貫通孔２４１内に嵌設定位し、該係合ブロック５２の両側にはそれぞれ凸柱５２２を設置する。該凸柱５２２は該接合台５３の２個のサポートアーム５３１の導槽５３２内に設置し、別に該接合台５３の前側には凹槽５３３と２個の固定アーム５３４を設置する。該固定アーム５３４上には穿孔５３５を設置し、該凹槽５３３は該電磁装置３の側辺３１を挟み接続する。さらに、固定栓５３６により該固定アーム５３４の穿孔５３５及び該側辺３１の定位孔３２に穿入し、こうして該電磁装置３と該接合台５３の連結を形成する。
【０００８】
図５、６に示すように、上記部品の組合せにより、本考案が空気の送出量を調整しようとする時には、該ダイヤル５４の回転を利用し、該ボルト５１の中央部５１２を連動し該係合ブロック５２に対してネジ刻み回転作動を行う。これにより該係合ブロック５２は該ボルト５１の回転方向により、上下移動を行い、同時に該凸柱５２２は上下移動に従い、該導槽５３２を動かし該接合台５３に対して前後移動の駆動を行わせる。こうして、該電磁装置３と該クランプ４１上の磁石４１１を連動し、その間の作動距離Aを調整することができ、該電子装置３の磁力吸着の頻度を改変し、それが送出する空気量の調整を達成することができる。
【図面の簡単な説明】
【０００９】
【図１】公知の空気ポンプの断面概略図である。
【図２】本考案の立体分解図である。
【図３】本考案上蓋の立体図である。
【図４】本考案の立体図である。
【図５】本考案の断面作動図（一）である。
【図６】本考案の断面作動図（二）である。
【符号の説明】
【００１０】
１  上蓋
１０  蓋体
１１  貫通孔
１２  封鎖形内壁
１３  固定柱
１４  収容空間
２  底台
２０  台体
２１  封鎖形内壁
２２  第一収容設置室
２２１  貫通孔
２３  第二収容設置室
２４  第三収容設置室
２４１  貫通孔
２５  固定係合柱
２６  空気室
２７  底板
３  電磁装置
３１  側辺
３２  定位孔
４  空気室組
４０  空気室台体
４１  クランプ
４１１  磁石
４１２  固定端
４１３  軸台
４１４  ゴムカバー
５  調整組
５１  ボルト
５１１  上部
５１２  中央部
５１３  下部
５２  係合ブロック
５２１  内ネジ孔
５２２  凸柱
５３  接合台
５３１  サポートアーム
５３２  導槽
５３３  凹槽
５３４  固定アーム
５３５  穿孔
５３６  固定栓
５４  ダイヤル
５４１  軸孔
９  空気ポンプ
９１  電磁装置
９２  空気室組
９２１  クランプ
９２２  磁石
９２３  ゴムカバー
９３  出気管
【図１】
0003136484.tif 000003
【図２】
0003136484.tif 000004
【図３】
0003136484.tif 000005
【図４】
0003136484.tif 000006
【図５】
0003136484.tif 000007
【図６】
0003136484.tif 000008
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
電磁装置と空気室組立体の作動距離を調整可能な空気ポンプは上蓋、底台、電磁装置、空気室組立体、調整装置組立体を含み、
該上蓋の蓋体上には貫通孔を設置し、その内部には収容空間を設置し、
該底台は該上蓋と対応、係合し、
該電磁装置は通電後に磁性を生じる装置で、
該空気室組立体は空気室台体上に少なくとも１個のクランプを設置し、該クランプの一端には磁石を設置し、反対端は固定端で軸台に固定し、該クランプの中央部にはゴムカバーを連結し、該ゴムカバーは該空気室台体の外側縁に嵌設し、
該調整装置組立体はボルト、係合ブロック、接合台、ダイヤルにより組成し、該ボルトの上部は該ダイヤルの軸孔に係合結合し、その中央部には外ネジ刻みを具え、該係合ブロックの内ネジ孔と螺合し、該係合ブロックの両側にはそれぞれ凸柱を設置し、該凸柱は該接合台の２個のサポートアームの導槽内に設置し、別に該接合台の前側は該電磁装置の側辺と連結することを特徴とする電磁装置と空気室組立体の作動距離を調整可能な空気ポンプ。
【請求項２】
請求項１記載の電磁装置と空気室組立体の作動距離を調整可能な空気ポンプにおいて、前記底台には第一収容設置室を設置し、該空気室組立体を収容設置することを特徴とする電磁装置と空気室組立体の作動距離を調整可能な空気ポンプ。
【請求項３】
請求項１記載の電磁装置と空気室組立体の作動距離を調整可能な空気ポンプにおいて、前記底台には第二収容設置室を設置し、該電磁装置を収容設置することを特徴とする電磁装置と空気室組立体の作動距離を調整可能な空気ポンプ。
【請求項４】
請求項１記載の電磁装置と空気室組立体の作動距離を調整可能な空気ポンプにおいて、前記底台には第三収容設置室を設置し、該調整装置組立体を収容設置することを特徴とする電磁装置と空気室組立体の作動距離を調整可能な空気ポンプ。
【請求項５】
請求項１記載の電磁装置と空気室組立体の作動距離を調整可能な空気ポンプにおいて、前記電磁装置の側辺には定位孔を設置し、固定栓を穿入し、これにより該接合台と連結することを特徴とする電磁装置と空気室組立体の作動距離を調整可能な空気ポンプ。
【手続補正２】
【補正対象書類名】明細書
【補正対象項目名】全文
【補正方法】変更
【補正の内容】
【考案の詳細な説明】
【技術分野】
【０００１】
本考案は電磁装置と空気室組立体の作動距離を調整可能な空気ポンプに関する。特に飼育用水槽専用の空気ポンプで、本考案によりそれが送出する空気量の調整を達成することができる電磁装置と空気室組立体の作動距離を調整可能な空気ポンプに係る。
【背景技術】
【０００２】
図１に示すように、公知の飼育用水槽専用の空気ポンプ９は電磁装置９１の通電と電源切断の間歇操作を利用する。これにより、空気室組立体９２のクランプ９２１上の磁石９２２を吸着し、さらにゴムカバー９２３の圧縮と弛緩の交替作動を連動し、この種の吸着と放出の交替作動を通して、空気を出気管９３から送出するが、これが一般の飼育用水槽専用の空気ポンプの作動構造である。
しかし、公知構造は空気を飼育用水槽に提供することはできるが、空気の供給量が一定値であるため、容量が異なる各飼育用水槽に適用し必要な空気量を提供することができない。
【考案の開示】
【考案が解決しようとする課題】
【０００３】
本考案は上蓋、底台、電磁装置、空気室組立体、調整装置組立体を含み、該調整装置組立体のダイヤルを利用し、ボルトを連動し係合ブロックの上下移動を駆動し、これにより該係合ブロックの両側に設置する凸柱は接合台を動かしその導槽を移動させ、こうして該電磁装置を駆動し前後移動の調整を行い、これにより該空気室組立体のクランプの作動頻度を改変し、それが送出する空気量の調整を達成する電磁装置と空気室組立体の作動距離を調整可能な空気ポンプを提供する。
【課題を解決するための手段】
【０００４】
請求項１の考案は、電磁装置と空気室組立体の作動距離を調整可能な空気ポンプは上蓋、底台、電磁装置、空気室組立体、調整装置組立体を含み、
該上蓋の蓋体上には貫通孔を設置し、その内部には収容空間を設置し、
該底台は該上蓋と対応し係合し、
該電磁装置は通電後に磁性を生じる装置で、
該空気室組立体は空気室台体上に少なくとも１個のクランプを設置し、該クランプの一端には磁石を設置し、反対端は固定端で軸台に固定し、該クランプの中央部にはゴムカバーを連結し、該ゴムカバーは該空気室台体の外側縁に嵌設し、
該調整装置組立体はボルト、係合ブロック、接合台、ダイヤルにより組成し、該ボルトの上部は該ダイヤルの軸孔に係合結合し、その中央部には外ネジ刻みを具え、該係合ブロックの内ネジ孔と螺合し、該係合ブロックの両側にはそれぞれ凸柱を設置し、該凸柱は該接合台の２個のサポートアームの導槽内に設置し、別に該接合台の前側は該電磁装置の側辺と連結することを特徴とする電磁装置と空気室組立体の作動距離を調整可能な空気ポンプとしている。
請求項２の考案は、請求項１記載の電磁装置と空気室組立体の作動距離を調整可能な空気ポンプにおいて、前記底台には第一収容設置室を設置し、該空気室組立体を収容設置することを特徴とする電磁装置と空気室組立体の作動距離を調整可能な空気ポンプとしている。
請求項３の考案は、請求項１記載の電磁装置と空気室組立体の作動距離を調整可能な空気ポンプにおいて、前記底台には第二収容設置室を設置し、該電磁装置を収容設置することを特徴とする電磁装置と空気室組立体の作動距離を調整可能な空気ポンプとしている。
請求項４の考案は、請求項１記載の電磁装置と空気室組立体の作動距離を調整可能な空気ポンプにおいて、前記底台には第三収容設置室を設置し、該調整装置組立体を収容設置することを特徴とする電磁装置と空気室組立体の作動距離を調整可能な空気ポンプとしている。
請求項５の考案は、請求項１記載の電磁装置と空気室組立体の作動距離を調整可能な空気ポンプにおいて、前記電磁装置の側辺には定位孔を設置し、固定栓を穿入し、これにより該接合台と連結することを特徴とする電磁装置と空気室組立体の作動距離を調整可能な空気ポンプとしている。
【考案の効果】
【０００５】
本考案は空気ポンプの空気送出量を調整することができ、これにより公知構造の欠点を解決し、実用的な進歩性と利益を具える。
【考案を実施するための最良の形態】
【０００６】
図２、３、４に示すように、本考案は少なくとも上蓋１、底台２、電磁装置３、空気室組立体４、調整装置組立体５を含む。
該上蓋１の蓋体１０上には貫通孔１１を設置し、その内部には複数の固定柱１３を設置し、封鎖形内壁１２を囲み形成し、該封鎖形内壁１２内には収容空間１４を形成する。
該底台２の台体２０内には封鎖形内壁２１を囲み形成し、該封鎖形内壁２１は該上蓋１の封鎖形内壁１２と対応し係合する。該封鎖形内壁２１内には第一収容設置室２２、１個以上の貫通孔２２１、第二収容設置室２３を設置し、該第二収容設置室２３に隣接する外側には第三収容設置室２４を設置する。しかも該第三収容設置室２４内には貫通孔２４１を具え、該封鎖形内壁２１の周囲外側には複数の固定係合柱２５を設置する。該固定係合柱２５は該上蓋１の固定柱１３と対応し係合する。該底台２台体２０の底部には空気室２６を設置し（図５参照）、底板２７により蓋合する。
該電磁装置３は通電後に磁性を生じる装置で、それは該第二収容設置室２３内に装置する。該電磁装置３の側辺３１上には定位孔３２を設置する。
【０００７】
該空気室組立体４は空気室台体４０上に少なくとも１個のクランプ４１を設置し、該クランプ４１の一端には磁石４１１を設置する。反対端は固定端４１２で、軸台４１３に固定する。該クランプ４１の中央部にはゴムカバー４１４を連結し、該ゴムカバー４１４は該空気室台体４０の外側縁に嵌設する。しかも該空気室組立体４は該第一収容設置室２２内に装置する。
該調整装置組立体５は該第三収容設置室２４内に装置し、それはボルト５１、係合ブロック５２、接合台５３、ダイヤル５４により組成する。該ボルト５１の上部５１１は該ダイヤル５４の軸孔５４１に係合結合し、中央部５１２は外ネジ刻みを具え、該係合ブロック５２の内ネジ孔５２１と螺合する。しかもその下部５１３は該底台２の第三収容設置室２４の貫通孔２４１内に嵌設定位し、該係合ブロック５２の両側にはそれぞれ凸柱５２２を設置する。該凸柱５２２は該接合台５３の２個のサポートアーム５３１の導槽５３２内に設置し、別に該接合台５３の前側には凹槽５３３と２個の固定アーム５３４を設置する。該固定アーム５３４上には穿孔５３５を設置し、該凹槽５３３は該電磁装置３の側辺３１を挟み接続する。さらに、固定栓５３６により該固定アーム５３４の穿孔５３５及び該側辺３１の定位孔３２に穿入し、こうして該電磁装置３と該接合台５３の連結を形成する。
【０００８】
図５、６に示すように、上記部品の組合せにより、本考案が空気の送出量を調整しようとする時には、該ダイヤル５４の回転を利用し、該ボルト５１の中央部５１２を連動し該係合ブロック５２に対してネジ刻み回転作動を行う。これにより該係合ブロック５２は該ボルト５１の回転方向により、上下移動を行い、同時に該凸柱５２２は上下移動に従い、該導槽５３２を動かし該接合台５３に対して前後移動の駆動を行わせる。こうして、該電磁装置３と該クランプ４１上の磁石４１１を連動し、その間の作動距離Aを調整することができ、該電子装置３の磁力吸着の頻度を改変し、それが送出する空気量の調整を達成することができる。
【図面の簡単な説明】
【０００９】
【図１】公知の空気ポンプの断面概略図である。
【図２】本考案の立体分解図である。
【図３】本考案上蓋の立体図である。
【図４】本考案の立体図である。
【図５】本考案の断面作動図（一）である。
【図６】本考案の断面作動図（二）である。
【符号の説明】
【００１０】
１  上蓋
１０  蓋体
１１  貫通孔
１２  封鎖形内壁
１３  固定柱
１４  収容空間
２  底台
２０  台体
２１  封鎖形内壁
２２  第一収容設置室
２２１  貫通孔
２３  第二収容設置室
２４  第三収容設置室
２４１  貫通孔
２５  固定係合柱
２６  空気室
２７  底板
３  電磁装置
３１  側辺
３２  定位孔
４  空気室組立体
４０  空気室台体
４１  クランプ
４１１  磁石
４１２  固定端
４１３  軸台
４１４  ゴムカバー
５  調整装置組立体
５１  ボルト
５１１  上部
５１２  中央部
５１３  下部
５２  係合ブロック
５２１  内ネジ孔
５２２  凸柱
５３  接合台
５３１  サポートアーム
５３２  導槽
５３３  凹槽
５３４  固定アーム
５３５  穿孔
５３６  固定栓
５４  ダイヤル
５４１  軸孔
９  空気ポンプ
９１  電磁装置
９２  空気室組立体
９２１  クランプ
９２２  磁石
９２３  ゴムカバー
９３  出気管